(57)【特許請求の範囲】
【請求項１】
少なくとも、メダルの預入口(108)を有する預入装置(126)及びメダル払出口(208)にメダルを払い出すメダル払出装置(130)を有するメダル預かり払出装置(100)において、
前記預入口に近接して配置したメダル容器投入口(112)と、
前記容器投入口に受け入れたメダル容器(144)を一つずつ払出装置(160)に送り出すメダル容器供給装置(134)と、
前記払出装置に位置する前記メダル容器に前記メダル払出口からメダルを払い出すことを特徴とするメダル預かり払出装置。
【請求項２】
前記メダル容器投入口、前記メダル容器供給装置及び前記払出装置が垂直方向に整列されていることを特徴とする請求項１のメダル預かり払出装置。
【請求項３】
前記預入口に近接して本人認証装置(110)を配置したことを特徴とする請求項１のメダル預かり払出装置。
【請求項４】
前記預入口の左側に前記メダル容器投入口を配置し、右側に前記本人認証装置を並置したことを特徴とする請求項３のメダル預かり払出装置。
【請求項５】
前記預入口へのメダル投入に連動して前記メダル容器投入口への容器投入を促すガイド装置(106,SK12)を配置したことを特徴とする請求項１のメダル預かり払出装置。
【請求項６】
前記容器投入口と前記メダル容器供給装置との間の容器通路(210)に、前記メダル容器の逆行阻止装置(240)を設けたことを特徴する請求項２のメダル預かり払出装置。
【請求項７】
前記メダル容器供給装置との間の前記容器通路に、前記メダル容器の残量センサ(250)を配置し、前記残量センサが所定の容器数以下であることを検知した場合、前記メダル容器供給装置の作動を禁止する禁止装置(SD12)を設けたことを特徴とする請求項２のメダル預かり払出装置。
【発明の詳細な説明】
【技術分野】
【０００１】
本発明は、ゲーム場でゲームを行い、獲得したメダルを預け、かつ、再ゲーム時にメダルの払出をするメダル預かり払出装置に関する。
特に、払い出したメダルを容器に収納して貸し出すメダル預かり払出装置に関する。
さらには、本人認証を行って獲得したメダルを預け、かつ、再ゲーム時にメダルの払出をするメダル預かり払出装置に関する。
なお、本明細書で使用する「メダル」は、パチスロ機やメダルゲーム機用のメダル、トークン、代用コイン等の遊技媒体の総称である。
【背景技術】
【０００２】
第１の従来技術として、メダルの受入をする預入部と、メダルの払出をなす払出部と、預入者の掌紋又は指紋の光学的データの入力部と、磁気カード発行部と、カード入力と、所定の制御処理をなす処理部とを備えるメダル預かり払出装置が知られている。
そして、預入者の指紋などの光学データと預入数とを記録した磁気カードを発行し、払出時に磁気カードの記録データと入力された指紋などの光学データとの一致で本人認証を行い、本人認証ができた場合にのみ預入数に応じた払出をする(例えば、特許文献１参照、)。
また、第２の従来技術として、メダルの収納容器を自動的に払出部に供給し、その容器に投入金額に対応する所定数のメダルを自動的に払い出して貸し出す装置が知られている(例えば、特許文献２参照。)。
【０００３】
【特許文献１】特開平7-171240号(第２頁、第１―２図)
【特許文献２】特許第2860818号 (第２―３頁、第１―２図)
【発明の開示】
【発明が解決しようとする課題】
【０００４】
第１の従来技術と第２の従来技術とを組み合わせることにより、メダルの払出を受ける場合、本人認証ができた場合のみ、メダルの収納容器を払出部に自動的に供給し、その容器に指定した所定数のメダルを払出すことができる。
この場合、通常、メダルの預け入れ者は、メダルを容器に入れて搬送し、預入部に投入する。
投入した後の容器は、預かり払出装置の側に積み重ねる。
このため、係員が定期的に見回り、容器自動補給装置に容器を補給しなければならないという問題がある。
また、全容器収納部を預かり払出装置の内部に配置した場合、預かり払出装置が大型化するという問題がある。
さらに、預かり払出装置の周囲に積み重ねられた場合、預かり払出装置の周囲の見栄えが悪化するという問題がある。
【０００５】
本発明の第１の目的は、自動で容器を供給する容器供給装置への容器補給を半自動的に行うことができるメダル預かり払出装置を提供することを目的とする。
本発明の第２の目的は、自動容器供給装置を備えたメダル預かり払出装置を小型化することを目的とする。
本発明の第３の目的は、周囲に容器が積み上がらないメダル預かり払出装置を提供することを目的とする。
【課題を解決するための手段】
【０００６】
この目的を達成するため、本発明にかかるメダル預かり払出装置は以下のように構成されている。
少なくとも、メダルの預入口を有する預入装置及びメダル払出口にメダルを払い出すメダル払出装置を有するメダル預かり払出装置において、前記預入口に近接して配置したメダル容器投入口と、前記容器投入口に受け入れたメダル容器を一つずつ払出装置に送り出すメダル容器供給装置と、前記払出装置に位置する前記メダル容器に前記メダル払出口から払い出すことを特徴とするメダル預かり払出装置である。
【発明の効果】
【０００７】
この構成において、顧客は預け入れるメダルを容器に入れ、預かり払出装置に持ってくる。
預け入れるメダルを容器からメダル預かり払出装置の預入口に投入することにより、容器は空になる。
当該空容器は、前記預入口に近接配置されたメダル容器投入口に投入することができる。
換言すれば、メダル預入後の空容器をメダル容器供給装置の供給用の容器としてリサイクルするので容器保留のスペースを減少させることができる。
したがって、メダル容器の自動供給装置をメダル預かり払出装置に取り付けることができる。
そして、容器は、預け入れた顧客が容器投入口に投入することにより自動的に補給されるので、半自動的に供給される。
したがって、管理者による容器の補給を減らすことができ、管理工数を削減できる利点がある。
【０００８】
また、容器は半自動的に補給されるので、容器の予備保留量を減少できる。
換言すれば、容器保留部の容量を減少できるので、装置を小型化できる利点がある。
さらに、預入後の空容器は預入者が容器投入口に投入し、リサイクルするのでメダル預かり払出装置の周囲に容器を積み上げないので、周囲の見栄えがよい利点がある。
【０００９】
請求項２の発明は、請求項１のメダル預かり払出装置において、前記メダル容器投入口、前記メダル容器自動供給装置及び前記払出装置が垂直方向に整列されていることを特徴とする。
この構成において、メダル容器投入口の下方にメダル容器自動供給装置、その下方に払出装置が配置されている。
したがって、メダル容器投入口に供給された容器は、自重によりメダル容器自動供給装置に落下する。
そして、メダル容器自動供給装置によって一つずつ区分けされる容器は、自重により払出装置に落下し、所定位置に保持される。
これにより、メダル容器は自重でメダル容器投入口から払出装置まで移動できる。
したがって、容器投出口へのメダル容器の供給を制御するメダル容器自動供給装置を設けるのみで、容器の搬送装置等が必要ないので、メダル預かり払出装置を小型に、かつ、安価に構成することができる利点がある。
【００１０】
請求項３の発明は、請求項１のメダル預かり払出装置において、前記預入口に近接して本人認証装置を配置したことを特徴とする。
この構成において、本人認証装置により既登録の本人の認証データと比較して本人を確認した後、メダルを預け入れることができる。
また、本人認証装置で本人と確認された場合のみ、メダルの払出を受けることができる。
したがって、本人以外は、メダルを預入及び払い出すことが出来ないので、賭博行為をすること出来ない利点がある。
【００１１】
請求項４の発明は、請求項３のメダル預かり払出装置において、前記預入口の左側に前記メダル容器投入口を配置し、右側に前記本人認証装置を並置したことを特徴とする。
この構成により、メダルを預け入れる場合、右手を本人認証装置に関わらせ、左手で容器を傾けてメダル預入口にメダルを投入した後、左手でメダル容器投入口に容器を投入することが自然に可能である。
したがって、メダル容器が容器投入口へ自然に投入されるので、預かり払出装置の周囲に積み上げられないという利点がある。
【００１２】
請求項５の発明は、請求項１のメダル預かり払出装置において、前記預入口へのメダル投入に連動して前記メダル容器投入口への容器投入を促すガイド装置を配置したことを特徴とする。
この構成において、メダルの預入口へメダルを投入した場合、メダル投入に連動して容器の容器投入口への投入を促すガイドがされる。
顧客は、このガイドに促されてメダル容器を容器投入口へ投入するので、メダル容器が預かり払出装置の周囲に積み上げられないという利点がある。
【００１３】
請求項６の発明は、請求項２のメダル預かり払出装置において、前記容器投入口と前記メダル容器供給装置との間の容器通路に、メダル容器の逆行阻止装置を設けたことを特徴する。
この構成において、容器投入口に投入されたメダル容器は、メダル容器供給装置からの投出毎に重力によって容器通路を順次下方へ移動する。
メダル容器が、メダル容器通路の所定位置に配置された逆行阻止装置を通過した場合、そのメダル容器は、その逆行阻止装置によって阻止されて容器投入口へ移動することができない。
換言すれば、メダル容器供給装置は、メダル容器によってカバーされているため、容器投入口から差し込んだ手がメダル容器供給装置に触れることができない。
したがって、顧客が容器投入口から手を差し込んで不測の怪我をすることが無い利点を有する。
【００１４】
請求項７の発明は、請求項２のメダル預かり払出装置において、前記メダル容器供給装置との間の容器通路に、メダル容器の残量センサを配置し、前記残量センサが所定の容器数以下であることを検知した場合、前記メダル容器供給装置の作動を禁止する禁止装置を設けたことを特徴とする。
この構成において、容器投入口に投入されたメダル容器は、メダル容器供給装置からの投出毎に重力によって容器通路を順次下方へ移動する。
メダル容器が、メダル容器通路の所定位置に配置された残量センサによって検知されなくなった場合、メダル容器供給装置に装着されているメダル容器は所定数以下である。
この場合において、禁止装置によってメダル容器供給装置の作動が禁止される。
換言すれば、メダル容器がメダル容器供給装置に所定数以上存在しない場合、メダル容器供給装置は作動されない。
したがって、顧客が容器投入口から差し込んだ手がメダル容器供給装置に触れた状態でメダル容器供給装置が作動することが無いので、顧客が不測の怪我をすることが無い利点を有する。
【発明の実施の形態】
【００１５】
図１は、実施例のメダル預かり払出装置の斜視図である。
図２は、実施例のメダル預かり払出装置の正面図である。
図３は、実施例のメダル預かり払出装置の概略構成を説明するための左後部上方からの斜視図である。
図４は、図２におけるＡ―Ａ線断面図である
図５は、実施例のメダル預かり払出装置の容器投入口及びメダル容器供給装置の正面側からの拡大断面図である。
図６は、本発明の実施例のメダル預かり払出装置の容器自動供給装置の分離装置及び払出装置の斜視図である。
図７は、本発明の実施例のメダル預かり払出装置の払出装置の斜視図である。
図８は、本発明の実施例のメダル預かり払出装置のホルダ装置の部分断面平面図である。
図９は、本発明の実施例のメダル預かり払出装置のホルダ装置の正面図である。
図１０は、本発明の実施例のメダル預かり払出装置の制御ブロック図である。
図１１は、本発明の実施例のメダル預かり払出装置の作動説明用のフローチャートである。
図１２は、本発明の実施例のメダル預かり払出装置のタッチパネル付ディスプレイにおける表示である。
【００１６】
図１において、メダル預かり払出装置100は、その箱型の筐体102の前面104であってその上部にガイド装置105であるタッチパネル付ディスプレイ106、中間部中央にメダル預入口108、メダル預入口108の右側に本人認証装置109である生体認証装置110、左側に容器投入口112が配置され、容器投入口112の下方に容器取出口114、生体認証装置110の上方にIDカード挿入口116、及び、人体センサ118が配置されている。
【００１７】
また、筐体102内には、下部のほぼ全域にメダル保留装置120、その上方に各装置と制御装置122との間のインターフェース装置124、及び、メダルカウンタ126が並置され、メダルカウンタ126の上方にはカードリードライト装置128が配置され、インターフェース装置124の上方にはメダル払出装置130が配置され、メダル払出装置130の側方には制御装置122が並置され、さらに、メダル保留装置120からメダル払出装置130へメダルを供給するメダルリフト装置132が配置され、容器投入口112の下方には、容器自動供給装置134が配置されている。
【００１８】
まず、タッチパネル付ディスプレイ106を説明する。
タッチパネル付ディスプレイ106は、メダル預かり払出装置100の顧客に対するガイド表示装置及び顧客による入力装置を兼用している。
したがって、ガイド表示装置及び入力装置に分離して設けることができる。
もちろん、顧客に限らず、メダル預かり払出装置100の管理のための設定、及び、確認機能、並びに、メンテナンスのための設定、確認機能等を兼用することができる。
【００１９】
次に、メダル預入口108を説明する。
メダル預入口108は、顧客が預け入れようとするメダルを受入れ、メダルカウンタ126へ案内する機能を有する。
具体的には、メダル預かり払出装置100の前面の中央であって、かつ、顧客の平均的腰部高さ位置付近の前下がり斜面134にほぼ水平に開口している。
メダル預入口108には、梯子状若しくは格子状等に横木を配置し、一気に投入されたメダルがジャムしないように、かつ、顧客が預入口108の奥に手を挿入出来ないようにすることが好ましい。
なお、斜面134は、水平にすることもできる。
【００２０】
メダル預入口108の前方に、メダル預入口108とほぼ同一高さ位置に平坦部140を有する容器テーブル142を配置することが好ましい。
タッチパネル付ディスプレイ106を操作する場合、若しくは、生体認証装置110により認証する場合、顧客が持参した容器144を一時置くため等である。
【００２１】
次に本人認証装置109である生体認証装置110を説明する。
生体認証装置110は、メダル預かり払出装置100にメダルを預入又は払出す顧客が本人であることを確認するための機能を有する。
生体認証装置110は、本実施例においては、手のひら静脈認証装置を使用している。
汗等による影響が少なく、識別精度が高く、かつ、比較的安価であるからである。
しかし、本人認証装置109として指紋、掌紋、目、顔認証及びパスワード等本人確認のための各種システムを採用することができる。
生体認証装置110は、メダル預入口108の右側の前下がり斜面134にメダル預入口108と並列配置することが好ましい。
しかし、生体認証装置110は水平に配置することができる。
【００２２】
右側に生体認証装置110を配置する理由は、右利きの人が多いことによる、また、メダル預入口108に並置した理由は、容器144をテーブル142に置いた後、横にずらすだけで、又は、IDカード挿入口から下方にずらすだけで手をかざすことが出来るからである。
生体認証装置110を前下がり斜面134に平行に配置した場合、手のひらを装置にかざしやすいからである。
メダル預入口108と生体認証装置110との間の前下がり斜面134に仕切板146が配置されている。
メダル預入口108に投入されるメダルが生体認証装置110に落下しないためである。
【００２３】
次に容器投入口112を説明する。
容器投入口112は、メダル預入口108に隣接して並列に配置されている。
このように配置した理由は、収容したメダルをメダル預入口108に投入した後の空容器144を容器投入口112に投入し易いからである。
したがって、本人認証を生体認証装置110と別の方法で行う場合、若しくは、全く行わない場合、容器投入口112は、メダル預入口108の右側に配置することができる。
また、容器投入口112は、メダル預入口108の左側にほぼ水平に配置することが好ましい。
この理由は、右手を生体認証装置110にかざし、タッチパネル付ディスプレイ106も右手で操作されることが多いと予測されるので、空き手である左手で投入可能にするためである。
しかし、容器114の保留量を増すため、平均的身長の顧客が投入できる範囲において、容器投入口112はメダル預入口108よりも上方に配置することができる。
【００２４】
容器投入口112は、傾斜した下端部が前下がり斜面134に固定された円筒状ガイド150の上端152であって、ほぼ水平に配置されている。
容器投入口112は、使用する容器の形状に合わせて形成され、本実施例では円形であり、使用される容器144の全長にわたって最大径よりも僅かに大径であり、かつ、上方から下方に向かって下すぼまりのテーパー状の案内孔154の上端である。
円筒状ガイド150の下方に、メダルの容器自動供給装置134が配置されている。
【００２５】
次に容器自動供給装置134を説明する。
容器自動供給装置134は、制御装置122からの供給信号に基づいてメダルを収納するバケット型のメダル収納容器144を自動的に一つずつ払出装置160に供給する機能を有している。
このため、容器投入口112から投入された容器144が積み重ねられる容器保留部162と、その積み重ねられた最下の容器144を区分けし、払出装置160へ落下させる分離装置164とを有する。
分離装置164は、図6に示すように、電気モータ166からギヤ168を介して回転される複数のカム170の上面によって容器144の鍔172の下面を水平に支え、螺旋状のカムで最下の容器144の鍔172の上面を押し下げることにより、バケット型の側壁の外周面と内周面との間の摩擦力により保持されている最下の容器144を分離し、自由落下させる。
【００２６】
容器自動供給装置134は、容器投入口112の真下に配置することが好ましい。
すなわち、容器投入口112に投入された容器144が案内孔154に案内されつつ落下し、自然に容器144の鍔172がカム170の上面で支えられて保持され、その後補給される容器144は既に保留されている容器144内壁によって下端部が案内され、順次積み上がるからである。
【００２７】
次ぎに払出装置160を説明する。
払出装置160は、容器自動供給装置134によって払い出された容器144にメダルを払い出す機能を有する。
払出装置160において、容器自動供給装置134から落下した容器144は、所定位置に保持され、メダル払出装置130から払い出されたメダルがその容器144に供給される。
払出装置160は、メダル預かり払出装置100の前面104に開口する容器取出口114と上面開口188を有し、左側壁176、右側壁178及び後側壁180によって囲われ、かつ、底壁182を有するボックス184である。
分離装置164の直下に上面開口188が位置し、容器取出口114はメダル預かり払出装置100の前面104に位置している。
【００２８】
底壁182は、容器取出口114側が低い下底壁182Lと、後側壁180側が高い上底壁182Uとよりなる段付き底になっている。
これにより、後述のホルダによって所定位置に保持された容器144の容器取出口114側の底と下底壁182Lとの間に指一本以上の隙間が形成され、容器144を取り出す場合、親指を鍔172にかけ、その他の指を容器144の底にあてがって引き出すことができる。
図８に示すように、左右側壁176、178の上下方向の中間及び前後方向においてやや後ろ側に矩形状の左ホルダ開口186及び右ホルダ開口188が形成されている。
これら左右ホルダ開口186及び188に対応して左ホルダ装置190、右ホルダ装置192が配置されている。
【００２９】
左ホルダ装置190と右ホルダ装置192は、対称に構成されているので、主に左ホルダ装置190を参照して説明し、右ホルダ装置192の対応部品には同一数字にRを付して説明を省略する。
左ホルダ装置190は、ホルダ202L、ベース196L、付勢装置198L及び位置調整装置200Lを含んでいる。
図8に示すように、ホルダ202Lは、水平方向に所定の間隔で配置した矯正部204L、206L、両矯正部間を外方に向かって膨らむ円弧で結んだ凹状の保持面208L、それら矯正部204L、保持面208L及び矯正部206Lから上方及び外方に向かって伸びる案内面212Lと、を有し、それらは滑らかな曲面で結ばれ、図８に示すように上下方向に伸びる凹部214Lを有する凸部216Lである。
なお、外方及び上下方向は、払出装置160を構成するボックス184の中央部に対する相対的な位置である。
【００３０】
したがって、左ホルダ202Lは、樹脂によって一体成型するのがよい。
矯正部204Lと206Lの間隔は、容器144を所定位置に保持している状態において、容器144の周長の約６分の１程度がよい。
この場合、容器144を外側から囲う量が少なく、容器144を取り出す際の邪魔にならないと共に、左ホルダ202L及び右ホルダ202Rの移動量が小さいため、付勢装置198L、198Rの押力に基づく取り出し抵抗が小さいため、容器144の取り出しが容易である。
凸部216Lの周囲のフランジ218Lは、垂直方向に伸びる矩形状のベース196Lに固定してある。
【００３１】
ベース196Lは左ホルダ開口186よりも大きく、左側壁176に固定したブラケット220Lに固定した水平のシャフト222Lにその上端部がピボット可能に取り付けられ、シャフト222Lに巻き付けた付勢装置198Lであるスプリングにより凸部216Lが払出装置160内に突出するよう付勢されている。
【００３２】
次に位置調整装置200Lを説明する。
ベース196Lの下端部中央に調整スクリュウ224Lがねじ込まれ、ロックナット226Lによりロックされている。
したがって、通常、ベース196Lは付勢装置198Lによって図9において反時計方向に付勢され、調整スクリュウ224Lの先端が左側壁176に係止されることにより、待機位置(図9における実線位置)に位置している。
調整スクリュウ224Lのねじ込み量を変更することにより、ホルダ202Lの待機位置を調整できる。
左右ホルダ202L、202Rの待機位置は、容器144の底144Bが上底壁182Uと接したとき、１ミリ程度移動するよう設定する。
【００３３】
換言すれば、上底壁182Uに支持される直前にホルダ202L、202Rに容器144が支えられるため、左ホルダ202L及び右ホルダ202Rが弾性的に移動することにより、その落下速度が減速され、上底壁182Uに衝突した際の衝撃が緩和される。  
後側壁180の上部に矩形の開口228が形成され、上下方向に延びるメダルシュート230が接続されている。
メダルシュート230の下端は、開口228に向かって前下がりに形成され、メダルが自重により自然落下するよう形成されている。
払出装置160は、容器自動供給装置134の真下に配置されることが好ましい。
すなわち、分離装置164によって一つずつ区分けされて落下された容器144が自重で落下し、払出位置に保持されるからである。
【００３４】
したがって、容器投入口112、容器自動供給装置134及び払出装置160は垂直方向の一直線上に整列していることが好ましい。
なぜなら、容器投入口112から投入された容器144は、重力によって垂立方向に延びる容器通路210を落下し、払出装置160に供給されるからである。
【００３５】
次に逆行阻止装置240を説明する。
逆行阻止装置240は、容器保留部162に保留された容器144が容器投入口112側に引き上げられることを防止する機能を有する。
逆行阻止装置240を配置する理由は、分離装置164は、モータ166によって積極的に回転されるため、顧客の不測の怪我を防止できるよう顧客が分離装置164に手を触れられないようにするためである。
実施例の逆行阻止装置240は、左右一対の阻止プレート242L及び242Rにより構成されている。
阻止プレート242L及び242Rはそれぞれ円筒状ガイド150の直下に配置された固定シャフト244L及び2４4Rに回動自在に取り付けられ、かつ、図示しない付勢手段により各先端が案内孔154下方の容器通路210に突出するよう付勢されている。
【００３６】
阻止プレート242L及び242Rは、その上面の受け部が円筒状ガイド150の下端246に面接触した状態において、所定長下向きに容器通路210に突出し、静止する。
このとき、阻止プレート242L及び242Rの先端間の距離は、容器144の鍔172の直径よりも小さく、容器144はこれらの間を通過することができない。
換言すれば、逆行阻止装置240を通過した容器144は、逆行阻止装置240によって容器投入口112側へ通過することができない。
【００３７】
次に残量センサ250であるニアエンプティセンサ254を説明する。
ニアエンプティセンサ254は、容器保留部162に保留されている容器144が所定数以下になったことを検出し、制御装置122にニアエンプティ信号を出力する。
したがって、上記機能を有していれば光電式、機械式、音波式等何れの方式でもよい。
実施例において、ニアエンプティセンサ254は、投光器256からの投光が分離装置164の上方の容器通路210を横断して受光器258に入光するようにした光透過型の光電センサである。
【００３８】
次に容器検出装置260を説明する。
容器検出装置260は、払出装置160における容器144の有無を検出する機能を有している。
したがって、上記機能を有していれば光電式、機械式、音波式等何れの方式でもよい。
本実施例において、容器検出装置260は左側壁176の下部に投光器262、右側壁178に受光器264が固定され、払出装置160の上底壁182U上に載っている容器144の有無を検出する透過形の光電センサを構成している。
このように、払出装置160の下部に容器検出装置260を配置することにより、容器144が斜めに落下してその底144Bが上底壁182Uに接していない場合、容器144の供給異常として検出できる利点がある。
【００３９】
次にIDカード挿入口116を説明する。
IDカード挿入口116は、カードリードライド装置128の縦向き前面に設けられ、メダル預かり払出装置100の前面104に配置されている。
IDカードには、顧客毎のIDが記憶されている。
顧客は、IDカードを挿入口116に挿入する。
カードリードライト装置128は、記憶されているIDから登録されている認証情報を読込み、制御装置122に出力して次行程の処理に活用する。
【００４０】
次に人体センサ118を説明する。
人体センサ118は、顧客が近づいてきたことを検知し、顧客用のガイドをタッチパネル付ディスプレイ106に表示するためのトリガー信号を発する。
人体センサ118は、例えば赤外線センサであり、人体が約40センチに近づいた場合、顧客検出信号を制御装置122に出力する。
【００４１】
次にメダルカウンタ126を説明する。
メダルカウンタ126は、メダル預入口108に投入されたメダルを受入れ、その数を高速で計数し、計数値を制御装置122に出力する機能を有する。
メダルカウンタ126は、一分間に約2000枚以上の処理能力があれば良い。
また、メダルカウンタ126は、直径、厚み、材質の規格外のメダルの排除機能を有していることが好ましいが、少なくとも直径及び厚みの規格外のメダルの排除機能を有していることが好ましい。
【００４２】
次にメダル保留装置120を説明する。
メダル保留装置120は、メダルカウンタ126の出口270から落下したメダルを保留し、メダル払出装置130のフルセンサ272からのフル信号が出力されない場合、横搬送装置274上に所定枚数、例えば20枚のメダルを間欠的に払い出す。
メダル保留装置120は、メダルを保留する保留ボウル276及びその下方に配置した払出ホッパ278によって構成されている。
保留ボウル276内のメダルは、底壁の傾斜によって払出ホッパ278に落下し、払出ホッパ278からカウントされつつ払い出される。
【００４３】
横搬送装置274は、払出ホッパ278から払い出されたメダルをリフト装置132に受け渡す機能を有する。
横搬送装置274は、例えばほぼ水平に配置されたベルトであり、払出ホッパ278のメダル払出終了を待って起動され、リフト装置132に払い出されたメダルを受け渡すに十分な時間経過後停止される。
次に再び払出ホッパ278から所定数のメダルを払出した後、横搬送装置274を所定時間運転し、リフト装置132に払い出されたメダルを受け渡す。
【００４４】
次にリフト装置132を説明する。
リフト装置132は、搬送装置274から受け取ったメダルを、上方のメダル払出装置130に搬送する機能を有する。
本実施例では、所定間隔でバケット280が配置され、横搬送装置274から落下したメダルをバケット280に受取り、その後次のバケット280が横搬送装置274からの受取位置になるまで上方へ移動して停止する。
バケット280が所定位置に達した場合、バケット280をメダル払出装置130の保留ボウル282側へ下向きに傾け、バケット280内のメダルを保留ボウル282内へ落下させる。
したがって、保留ボウル282のフルセンサ272からフル信号が出力されるまで、払出ホッパ278、横搬送装置274及びリフト装置132の歩進運動が繰り返され、保留ボウル282が満杯にされる。
【００４５】
次にメダル払出装置130を説明する。
メダル払出装置130は、保留ボウル282から流入したメダルを一つずつ区分けし、かつ、カウントしつつ縦向きのメダルシュート230へ払い出す。
メダル払出装置130は、所定数のメダルを払い出した場合、停止される。
メダル払出装置130は、例えば実用新案登録第2538531号に開示された所謂コインホッパーが使用される。
メダル払出装置130は、メダルが払い出される毎に検出信号を出力する払出センサ284を有している。
また、メダルの払出を迅速に行うため、メダル払出装置を複数配置することができる。
【００４６】
制御装置122は、タッチパネル付ディスプレイ106、生体認証装置110、人体センサ118、ニアエンプティセンサ254、容器センサ230及びメダル払出装置130の払出センサ272から信号を入力して所定の演算を行い、タッチパネル付ディスプレイ106に所定の表示を行い、容器自動供給装置134の分離装置164を作動させて容器144を一つずつ落下させ、払出ホッパ278、横搬送装置274及びリフト装置132を所定のタイミングで作動させ、メダル払出装置130から所定数のメダルを払い出す処理を行わせる。
【００４７】
制御装置122は、例えばマイクロプロセッサである。
生体認証装置110の直ぐ上の前下がり斜面134には、ガイド時に発光する認証発光ガイド装置286が取り付けられ、メダル預入口108の直ぐ上の縦壁には預入口発光ガイド装置288が取り付けられ、ICカード挿入口116の直近上部にはカード挿入口発光ガイド装置290が取り付けられている。
【００４８】
次に本実施例の作用を図11のフローチャート及び図12のガイドも参照して説明する。
預かり払出装置100のタッチパネル付ディスプレイ106は、通常、ゲーム場やイベントの紹介等の予め定められているインフォメーションを表示している。
まず、顧客が預かり払出装置100の前面に近づいた場合、人体センサ118によって検知され、図12(A)に示す、少なくとも、メダル預入ボタン300及びメダル払出ボタン302を含む初期画面が表示される。
【００４９】
これに連動して制御装置122において、制御プログラムが処理を開始する。
すなわち、ステップS1において預入ボタン300が押されたか判別する。
押されていない場合、ステップS2に進み、払出ボタン302が押されたか判別する。
押されていない場合、ステップS1に戻り、ステップS1及びS2をループする。
【００５０】
顧客がメダル預入をする場合、顧客は預入ボタン300を押す。
これにより、タッチパネル付ディスプレイ106から預入ボタン300が押されたことを表す信号が出力されるため、ステップSK1に進み、タッチパネル付ディスプレイ106に図12(B)に示すカード挿入ガイド画面を表示すると共に、カード挿入口発光ガイド装置290を発光或いは点滅させ、挿入口116の位置をガイドする。
【００５１】
ステップSK２において、顧客がIDカードを挿入口116に挿入した場合、カードリードライト装置128はIDカードを取り込み、ステップSK3においてIDカードに記憶されているID情報を読み込み、対応する生体情報をサーチし、ステップSK4に進む。
【００５２】
ステップSK4において、タッチパネル付ディスプレイ106に図12(C)に示す生体認証ガイドを表示した後、ステップSK５に進む。
【００５３】
ステップSK5において、顧客が右手の平を生体認証装置110にかざした場合、生体認証装置110はステップSK6において自動的に手のひらの静脈に関するデータを取得し、ステップSK7に進む。
【００５４】
ステップSK6において、認証データが取得されない場合、ステップSK４に戻り、再度生体認証ガイド画面をタッチパネル付ディスプレイ106に表示し、生体認証装置110への手のひらのかざしを促す。
【００５５】
ステップSK7において、予めサーチされた登録済みデータと今回取得された認証データとを比較し一致する場合、ステップSK9に進む。
ステップSK7において、比較データが一致しない場合、ステップSK8に進み、タッチパネル付ディスプレイ106に一致しない旨を表示した後、ステップSK4に戻る。
【００５６】
ステップSK9において、図12(D)に示すようにタッチパネル付ディスプレイ106にメダルの預入口108への投入ガイド、現在の預かり数及びカウント開始ボタン304を表示し、ステップSK10に進む。
【００５７】
ステップSK10において、カウント開始ボタン304が押された場合、ステップSK12に進む。
【００５８】
ステップSK11において、カウンタ126が起動され、預入れられたメダルがカウントされる。
本実施例のカウンタ126は、正規直径及び厚みのメダルをカウントし、制御装置122へ出力し、規格外のメダルはリジェクトボックス(図示せず)に排除される。
【００５９】
次にステップSK12に進み、図12(E)に示すように容器144の容器投入口112への容器投入を促すガイドを表示した後、ステップSK13に進む。
【００６０】
ステップSK13において、図12(Ｆ)に示すようにタッチパネル付ディスプレイ106に過去の預かり数がある場合、その過去の預かり数と今回の預かり数を加えた総数を表示すると共に再投入ボタン306と預けボタン308とを表示し、ステップSK14に進む。
【００６１】
ステップSK14において、再投入ボタン306が押された場合、ステップSK9に戻り、押されない場合はステップSK15に進む。
【００６２】
ステップSK15において、預入ボタン308が押された場合、ステップSK16に進み、対応するIDの預かり数を書換え、ステップSK17に進む。
預入ボタン308が押されない場合、ステップSK14に戻る。
【００６３】
ステップSK17において、図12(G)に示すようにタッチパネル付ディスプレイ106に終了ボタン310を表示する。
【００６４】
ステップSK17において終了ボタン310が押された場合、ステップSK19に進み、カードリードライト装置128の挿入口116からIDカードを顧客に戻した後、処理を終了する。
処理が終了した場合、タッチパネル付ディスプレイ106にはゲーム場の紹介等のガイドが表示される。
【００６５】
次に、ステップS2において、払出ボタン302が押された場合、すなわち、メダルを払い出すケースを説明する。
払出ボタン302が押されると、ステップSD1に進み、タッチパネル付ディスプレイ106に図12(B)に示すIDカード挿入ガイドを表示した後、ステップSD2に進む。
【００６６】
ステップSD2において、IDカードがカード挿入口116に挿入された場合、ステップSD3に進み、IDカードからID情報を読込んだ後、ステップSD4に進み、図12(C)に示す手のひら認証画面をタッチパネル付ディスプレイ106に表示する。
【００６７】
ステップSD5において、顧客が手のひらを生体認証装置110にかざすと、自動的に認証情報を取得し、ステップSD6に進む。
顧客が手のひらを生体認証装置110にかざさない場合、認証データを取得出来ないのでステップSD4に戻り、生体認証画面に戻る。
【００６８】
ステップSD6において生体認証データの存在を判別すると、ステップSD7に進む。
【００６９】
ステップSD7において、登録済みのIDに基づくデータと比較し、一致しない場合、ステップSD8に進んでタッチパネル付ディスプレイ106にエラー表示した後、SD4に戻る。
ステップSD7において、生体認証情報が一致する場合、ステップSD9に進む。
【００７０】
ステップSD9において、図12(H)に示すように現時点での預かり数を表示し、かつ、払出指示数表示部282、払出数入力のためのテンキー314及び払出開始ボタン316を表示した後、ステップSD10に進む。
【００７１】
ステップSD10において、テンキー314から払出数が入力された場合、ステップSD11に進む。
【００７２】
ステップSD11において、払出開始ボタン316が押されない場合、ステップSD9に戻り、押された場合ステップSD12に進む。
【００７３】
ステップSD12において、カップニアエンプティセンサ254からのニアエンプティ信号があるか判別し、ニアエンプティ信号がない場合ステップSD13に進む。
【００７４】
ステップSD13において、払出指示数が預かり数内であるか判別し、範囲外の場合、ステップSD14に進む。
【００７５】
ステップSD14において、預入範囲外表示をタッチパネル付ディスプレイ106に行った後、ステップSD9に戻る。
範囲内の場合、ステップSD15に進み、分離装置164を作動させて容器保留部162の最下の容器144を払出装置160に供給する。
すなわち、最下の容器144のみが分離装置164によって落下されるので、落下した容器144は、ホルダ202L及び202Ｒによって落下速度を減速され、かつ、案内されて払出装置160の所定位置に落下する。
【００７６】
詳述すれば、モータ166の回転によってギヤ168を介して複数のカム170が回転される。
これにより、その周面に形成されたカム面によって最下の容器144の鍔172の上面が下方へ押し下げられるため、最下の容器144が垂直下方へ落下する。
容器144が落下する場合、その姿勢は一様ではなく、各状況において様々に傾いたり、位置ズレして落下する。
例えば、容器144が垂直にホルダ202Lと202Ｒとの中央に落下した場合、容器144の側壁が保持面208L及び208Ｒに接触した直後にその底144Bが上底壁182Uに支えられる。
【００７７】
ホルダ202L及び202Rは、容器144の側壁により押される。
詳述すれば、図9において、ベース196Lは時計方向へ付勢装置198Lの付勢力に抗して回動され、ベース182Rは反時計方向へ付勢装置184Rの付勢力に抗して回動される。
したがって、容器144の側壁は付勢装置198L及び184Rの押力に抗し、かつ、保持面208L及び208Rと摩擦しつつ落下するので、その落下速度が大幅に減速される。
【００７８】
結果として、容器144の底144Bが上底壁182Uに衝突した際の衝撃は小さく、落下した際の跳ね上がり力は小さい。
また、容器144は左ホルダ202L及び右ホルダ202Rによって挟み込まれているので、容器144が跳ね上がろうとしても側壁及び保持面208L並びに208Rとの摩擦により跳ね上がることができずに落下した位置を保持される。
また、容器144が図8に一点鎖線で示すように容器取出口114側にずれて落下した場合、容器取出口114側の側壁が矯正部188L及び188Rよりも容器取出口114側の案内面212L、212R、保持面208L及び208Rに同時或いは時間遅れを持って接触する。
これにより、容器144は矯正部204L、204Rに押し出されつつ落下する。
【００７９】
換言すれば、容器144の位置は保持面208L及び208Rで保持された際のほぼ中央の上底壁182Uに着座する。
この落下途中に、前述同様ホルダ202L及び202Rは容器144によって左右に押されるので、その落下速度は前述同様減速される。
結果として、容器144は上底壁182Uから実質的に跳ね上がることなく所定の位置に保持される。
着座したときに容器144が未だ取出口114側に位置ズレしている場合、容器144は付勢装置198L及び198Rに基づくホルダ202L及び202Rの押力によって保持面208L及び208Rの凹面から後側壁180に向かう押力を受け、保持面208L及び208Rから均等に押力を受ける位置に移動することもある、
【００８０】
容器144が後側壁180側にずれて落下した場合、容器144は前述と逆方向に押されつつ落下し、跳ね上がることなく所定の位置に保持される。
容器144が図8に破線で示すように、前後方向に大きく傾いて落下する場合、容器側壁は矯正部188L及び188Rに接触し、それら矯正部188L及び188Rとの接点を支点に垂直になるように回動し、かつ、後側壁180側へ押し出されつつ落下し、上底壁182Uに着座する。
結果として、容器144は上底壁182Uから実質的に跳ね上がることなく所定の位置に保持される。
【００８１】
容器144が前述と逆方向に大きく傾いて落下した場合、前述と逆に案内されて容器144は上底壁182Uから実質的に跳ね上がることなく所定の位置に保持される。
容器144が図9において一点鎖線で示すように左方向に傾いて落下した場合、その底144Bと容器側壁のコーナーは案内面192Rに接触し、その傾斜面によって反対側のホルダ202L側に案内されつつ落下する。
さらに、容器側壁が案内面192Rによってホルダ202L側へ押され、かつ、矯正部188L、188R及び186L、186Rによってその前後方向の位置を所定位置に保持されつつ落下する。
【００８２】
この途上で容器144の側壁は、ホルダ202Lの保持面208Lにも接触して案内されつつ上底壁182Uに着座する。
同時に、容器144は、左ホルダ202L及び右ホルダ202Rを外側へ押しやるので、それにより落下速度が減速される。
結果として、容器144は上底壁182Uから実質的に跳ね上がることなく所定の位置に保持される。
【００８３】
容器144が前述と逆方向に傾いて落下した場合、前述と逆に案内されて上底壁182Uから実質的に跳ね上がることなく所定の位置に保持される。
また、容器144が前後及び左右に傾いて落下する場合、前記説明した前後及び左右のホルダ202L及び202Rによるガイド機能と緩衝機能により上底壁182Uから実質的に跳ね上がることなく所定の位置に保持される。
【００８４】
次にステップSD16に進み、容器検出装置260からの容器144の存在信号を判定する。
容器存在信号が無い場合、ステップSD17に進み、エラー表示をして全ての処理を停止する。
【００８５】
ステップSD12において、容器144のニアエンプティを検出した場合、ステップSD18に進み、図12(F)に示すように容器144の取出口114から払出装置160へのセットを促してステップSD16に進む。
これにより、顧客は、メダル預かり払出装置100の近傍に配置される空容器144を容器投入口112から投入する。
したがって、ニアエンプティセンサ254からニアエンプティ信号が出力されている場合、分離装置164は起動されない。
【００８６】
ステップSD16において容器144が存在する場合、ステップSD19に進み、メダル払出装置130を作動させる。
これにより、メダル払出装置130は、メダルを一個ずつ区分けしてメダルシュート230に払い出す。
【００８７】
メダルシュート230に落下したメダルは、メダルシュート230に案内されて払出装置160の容器144内に落下する。
このメダルの払出と並行してメダル払出装置130に装着されたセンサ284からメダルが払出される毎に出力される検出信号をカウントし、間接的に容器144内のメダル収納量を検出する。
【００８８】
次にステップSD20において、前記カウント値が払出指示数と比較され、指示数に満たない場合、払出が継続される。
ステップSD20において、カウントが払出指示数と一致した場合、ステップSD21に進み、メダル払出装置130を停止し、払出処理が終了する。
このメダル払出装置130の停止と共にタッチパネル付ディスプレイ106にゲーム場の案内等の表示を行う。
【００８９】
本発明において、ガイド装置105は音声によるガイド等他のガイド装置に変更することができる。
また、本人認証装置110は、実施例の生体情報の他、ID番号等本人を識別できるものに変更することができる。
本発明は、メダルの払出指示数が多い場合、本出願人の出願に係る特開2004-248876に開示した発明と組み合わせて使用することができる。
また、ニアエンプティセンサ254による分離装置164の不作動機能と逆行防止装置220はどちらか一方を選択装着することができるが、安全性を高めるため、両方装着することが好ましい。
【図面の簡単な説明】
【００９０】
【図１】図１は、実施例のメダル預かり払出装置の斜視図である。
【図２】図２は、実施例のメダル預かり払出装置の正面図である。
【図３】図３は、実施例のメダル預かり払出装置の概略構成を説明するための左後部上方からの斜視図である。
【図４】図４は、図２におけるＡ―Ａ線断面図である
【図５】図５は、実施例のメダル預かり払出装置の容器投入口及びメダル容器供給装置の正面側からの拡大断面図である。
【図６】図６は、本発明の実施例のメダル預かり払出装置の容器自動供給装置の分離装置及び払出装置の斜視図である。
【図７】図７は、本発明の実施例のメダル預かり払出装置の払出装置の斜視図である。
【図８】図８は、本発明の実施例のメダル預かり払出装置のホルダ装置の部分断面平面図である。
【図９】図９は、本発明の実施例のメダル預かり払出装置のホルダ装置の正面図である。
【図１０】図１０は、本発明の実施例のメダル預かり払出装置の制御ブロック図である。
【図１１】図１１は、本発明の実施例のメダル預かり払出装置の作動説明用のフローチャートである。
【図１２】図１２は、本発明の実施例のメダル預かり払出装置のタッチパネル付ディスプレイにおける表示である。
【符号の説明】
【００９１】
100  メダル預かり払出装置
106  ガイド装置
108  預入口
110  本人認証装置
112  メダル容器投入口
126  預入装置
130  メダル払出装置
134  メダル容器供給装置
144  メダル容器
160  払出装置
210  容器通路
228  メダル払出口
240  逆行阻止装置
250  残量センサ
SD12  禁止装置
【図１】
0004665085.tif 000002
【図２】
0004665085.tif 000003
【図３】
0004665085.tif 000004
【図４】
0004665085.tif 000005
【図５】
0004665085.tif 000006
【図６】
0004665085.tif 000007
【図７】
0004665085.tif 000008
【図８】
0004665085.tif 000009
【図９】
0004665085.tif 000010
【図１０】
0004665085.tif 000011
【図１１】
0004665085.tif 000012
【図１２】
0004665085.tif 000013